(57)【特許請求の範囲】
【請求項１】
ベール古紙を希釈水で溶解してスラリー状の溶解液とする溶解槽へのベール古紙投入装置であって、番線で梱包されたベール古紙を搬送する搬送コンベアと、該搬送コンベアから移送された前記ベール古紙１梱包当たりの重量を測定するスケールコンベアと、該スケールコンベアから移送されたベール古紙から前記番線を切断除去する番線切断除去装置と、該番線切断除去装置からの落下衝撃により解梱されたベール古紙を溶解槽へ投入する投入コンベアと、前記スケールコンベアで測定したベール古紙の重量から前記溶解槽へ投入されるベール古紙の溶解処理時間を演算し、該溶解処理時間に基づいて前記搬送コンベア、前記スケールコンベア、前記番線切断除去装置及び前記投入コンベアのそれぞれの運転を制御する制御装置とを備えたことを特徴とする溶解槽へのベール古紙投入装置。
【請求項２】
前記制御装置は、前記ベール古紙の重量から前記溶解槽への希釈水の注入量を制御することを特徴とする請求項１記載の溶解槽へのベール古紙投入装置。
【発明の詳細な説明】
【０００１】
【発明の属する技術分野】
本発明は、ベール古紙を製紙原料として使用するために、ベール古紙を溶解する溶解槽へのベール古紙投入装置に関する。
【０００２】
【従来の技術】
従来のベール古紙投入装置として、溶解槽に投入コンベアを配設したものがある。このベール古紙投入装置では、投入コンベアの手前で、ベール古紙を梱包している番線をオペレータが手作業で切断除去して手作業で突き崩すか、フォークリフト等でベール古紙を持ち上げて落下させることにより、ベール古紙を解梱して投入コンベアに載せて、投入コンベアから溶解槽に投入していた。
【０００３】
また、投入コンベアの手前に、投入コンベアよりも高い位置に搬送コンベアを設けたベール古紙投入装置では、オペレータが手作業で番線を切断除去したベール古紙を搬送コンベアに載せ、搬送コンベアから投入コンベアにベール古紙を落下させて、落下衝撃によりベール古紙を解梱し、投入コンベアから溶解槽に投入していた。
【０００４】
【発明が解決しようとする課題】
このように、ベール古紙の投入は人手を要する作業となるところから、作業効率が悪く、作業環境も良好なものではなかった。また、溶解槽から次の工程に送られる溶解液のスラリー濃度を所定濃度に一定化しておくと、次工程以降の作業効率の向上が図れるが、ベール古紙は梱包毎に重量が異なり、溶解槽における溶解処理時間もベール古紙の重量によって異なるので、ベール古紙の投入間隔を重量に応じて調整することが望ましい。
【０００５】
そこで本発明は、ベール古紙の番線切断除去、解梱、溶解槽への投入を自動化するとともに、ベール古紙の重量に応じて運転を制御して、作業効率の向上を図った溶解槽へのベール古紙投入装置を提供することを目的としている。
【０００６】
【課題を解決するための手段】
上記した目的を達成するため、本発明の溶解槽へのベール古紙投入装置は、ベール古紙を希釈水にて溶解してスラリー状の溶解液とする溶解槽へのベール古紙投入装置であって、番線で梱包されたベール古紙を搬送する搬送コンベアと、該搬送コンベアから移送された前記ベール古紙１梱包当たりの重量を測定するスケールコンベアと、該スケールコンベアから移送されたベール古紙から前記番線を切断除去する番線切断除去装置と、該番線切断除去装置からの落下衝撃により解梱されたベール古紙を溶解槽へ投入する投入コンベアと、前記スケールコンベアで測定したベール古紙の重量から前記溶解槽へ投入されるベール古紙の溶解処理時間を演算し、該溶解処理時間に基づいて前記搬送コンベア、前記スケールコンベア、前記番線切断除去装置及び前記投入コンベアのそれぞれの運転を制御する制御装置とを備えたことを特徴とし、また、前記制御装置は、前記ベール古紙の重量から前記溶解槽への希釈水の注入量を制御することを特徴としている。
【０００７】
【発明の実施の形態】
以下、本発明を、図面に示す実施形態例に基づいて、さらに詳細に説明する。ベール古紙投入装置１は、番線で梱包されたベール古紙２を搬送する搬送コンベア３と、該搬送コンベア３から移送された前記ベール古紙１梱包当たりの重量を測定するスケールコンベア４と、該スケールコンベア４から移送されたベール古紙２から前記番線を切断除去する番線切断除去装置５と、該番線切断除去装置５からの落下衝撃により解梱されたベール古紙２を溶解槽７へ投入する投入コンベア６とを有している。溶解槽７は、投入されたベール古紙２を希釈水にて溶解してスラリー状の溶解液にして次の工程へ送給する。
【０００８】
このベール古紙投入装置１には、前記スケールコンベア４で測定したベール古紙２の重量から前記溶解槽７へ投入されるベール古紙２の溶解処理時間を演算し、該溶解処理時間に基づいて前記搬送コンベア３、前記スケールコンベア４、前記番線切断除去装置５及び前記投入コンベア６のそれぞれの運転を制御する制御装置８が備えられている。
【０００９】
前記搬送コンベア３は、スラットコンベア３ａを駆動する駆動モータ３ｂと、前記スケールコンベア４へのベール古紙２の移送を検知する光電管３ｃとを有している。前記駆動モータ３ｂは回路８ａで、前記光電管３ｃは回路８ｂでそれぞれ前記制御装置８に接続されている。
【００１０】
前記スケールコンベア４は、スラットコンベア４ａを駆動する駆動モータ４ｂと、前記搬送コンベア３から移送されたベール古紙２の重量を検知するロードセル４ｃ，４ｃと、前記番線切断除去装置５へのベール古紙２の移送を検知する光電管４ｄとを有している。前記駆動モータ４ｂは回路８ｃで、前記ロードセル４ｃ，４ｃは計量器４ｅを介して回路８ｄで、前記光電管４ｄは回路８ｅでそれぞれ前記制御装置８に接続されている。
【００１１】
前記番線切断除去装置５は、スラットコンベア５ａを駆動する駆動モータ５ｂと、番線切断除去機５ｃと、前記スケールコンベア４からのベール古紙２の移送を検知する第１光電管５ｄと、ベール古紙２を番線切断除去機５ｃの適切位置に停止させる第２光電管５ｅと、前記投入コンベア７へのベール古紙２の移送を検知する第３光電管５ｆとを有している。前記駆動モータ５ｂは回路８ｆで、前記番線切断除去機５ｃは表示操作板５ｇを介して回路８ｇで、前記各光電管５ｄ，５ｅ，５ｆは回路８ｈでそれぞれ前記制御装置８に接続されている。
【００１２】
前記投入コンベア６は、スラットコンベア６ａを駆動する駆動モータ６ｂと、スラットコンベア６ａの駆動量を検知するエンコーダ６ｃとを有し、番線切断除去装置５側を番線切断除去装置５よりも１〜１．５ｍ程度低い位置に、溶解槽７側を中間部から上方へ持ち上げて溶解槽７の上部に位置させており、前記番線切断除去装置５からの落下衝撃により解梱されたベール古紙２を複数個間隔を空けてスラットコンベア６ａに載せている。前記駆動モータ６ｂは回路８ｉで、前記エンコーダ６ｃは回路８ｊでそれぞれ前記制御装置８に接続されている。
【００１３】
前記溶解槽７は、希釈水注入管７ａと、槽内の液面高さを検知する液面計７ｂと、溶解液を次の工程へ送給する排出装置７ｃとを備え、ベール古紙２を複数個溶解処理可能な能力を有しており、槽内上部でベール古紙２の溶解処理を行い、槽内下部から溶解液を排出する。希釈水注入管７ａに設けられたコントロールバルブ７ｄは回路８ｋで、液面計７ｂは回路８ｍと、排出装置７ｃに設けられた流送バルブ７ｅは回路８ｎでそれぞれ前記制御装置８に接続されている。
【００１４】
このように構成されたベール古紙投入装置１の運転を説明すると、先ず、運転開始時に制御装置８の処理量設定器８ｐに処理量を入力する。例えば、溶解槽７の１日当たりの処理量が６００トンで、ベール古紙２の平均重量が８００ｋｇであれば、１日に７５０個のベール古紙２を溶解処理することができ、１個のベール古紙２を溶解処理する平均処理時間は約１分５５秒となる。この処理量の入力に基づき、制御装置８は、搬送コンベア３、スケールコンベア４、番線切断除去装置５及び投入コンベア６の運転時間を算出する。
【００１５】
オペレータにより搬送コンベア３に載せられたベール古紙２は、スケールコンベア４へ移送されて重量を測定されて、番線切断除去装置５へ移送される。スケールコンベア４で測定された重量は回路８ｄを介して制御装置８へ送られ、制御装置８は、当該ベール古紙２の溶解処理時間を演算する。番線切断除去装置５で番線を切断除去されたベール古紙２は、投入コンベア６へ落下移送されて落下の衝撃により解梱される。制御装置８は、番線切断除去装置５の第３光電管５ｆにより投入コンベア６への落下が伝達されると、回路８ｉを介して投入コンベア６の駆動モータ６ｂを回転してスラットコンベア６ａを所定量駆動する。このようにして、ベール古紙２は、順次上述の順序で計量及び番線除去されて投入コンベア６に前のベール古紙２とは所定の間隔を空けて載せられる。スラットコンベア６ａの駆動量は、エンコーダ６ｃから回路８ｊを介して制御装置８へ伝達される。
【００１６】
投入コンベア６のスラットコンベア６ａが所定量駆動されることにより、投入コンベア６の溶解槽７側に載せられた先頭のベール古紙２が１個溶解槽７に投入される。この段階で、制御装置８は、回路８ｋを介してコントロールバルブ７ｄを操作して、当該ベール古紙２の重量に対応して溶解処理に最適な量の希釈水を溶解槽７へ注入する。
【００１７】
溶解槽７は、複数個のベール古紙２を溶解処理する能力を有しているので、既にスラリー状に処理された溶解液に、新しいベール古紙２と希釈水とが注入されて新しいベール古紙２の溶解処理が始まると、制御装置８は、液面計７ｂのデータから回路８ｎを介して排出装置７ｃの流送バルブ７ｅを操作して、既に処理された溶解液から新しいベール古紙２の重量と希釈水の注入量に対応する量を次の工程に送る。
【００１８】
新しいベール古紙２の溶解処理時間は、スケールコンベア４で測定された当該ベール古紙２の重量から制御装置８が演算しており、新しいベール古紙２の重量が設定された平均重量よりも重ければ、溶解処理時間は平均処理時間よりも長く、軽ければ短い。この溶解処理時間が経過すると、制御装置８は、スラットコンベア６ａを所定量駆動して、次のベール古紙２を溶解槽７に投入するとともに、対応する量の希釈水を溶解槽７へ注入する。
【００１９】
このようにして、制御装置８は、スケールコンベア４で測定したベール古紙２の重量から当該ベール古紙２の溶解処理時間を演算し、溶解処理時間経過後に次のベール古紙２を投入する。そして、ベール古紙２の投入間隔に合わせて前記搬送コンベア３、前記スケールコンベア４、前記番線切断除去装置５及び前記投入コンベア６のそれぞれの運転を制御する。
【００２０】
したがって、ベール古紙投入装置１は、オペレータがベール古紙２を搬送コンベア３に載せた後は、番線の切断除去、ベール古紙２の解梱、溶解槽への投入を自動的に行い、かつ、梱包毎に重量の異なるベール古紙２の溶解処理時間に合わせて、次のベール古紙２を投入するように、投入装置１全体の運転を制御するので、溶解作業の効率化が図れ、しかも、溶解槽７では、ベール古紙２と希釈水がそれぞれ定量連続的に投入されるから、ベール古紙溶解液の濃度を一定化でき、次工程以降の作業効率の向上が図れる。
【００２１】
【発明の効果】
以上説明したように、本発明の溶解槽へのベール古紙投入装置は、番線で梱包されたベール古紙を搬送する搬送コンベアと、搬送コンベアから移送されたベール古紙１梱包当たりの重量を測定するスケールコンベアと、スケールコンベアから移送されたベール古紙から番線を切断除去する番線切断除去装置と、番線切断除去装置からの落下衝撃により解梱されたベール古紙を溶解槽へ投入する投入コンベアと、スケールコンベアで測定したベール古紙の重量から溶解槽へ投入されるベール古紙の溶解処理時間を演算し、溶解処理時間に基づいて搬送コンベア、スケールコンベア、番線切断除去装置及び投入コンベアのそれぞれの運転を制御する制御装置とを備えたので、搬送コンベアに載せたベール古紙の番線の切断除去、解梱、溶解槽への投入を自動的に行い、かつ、梱包毎に重量の異なるベール古紙の溶解処理時間に合わせて装置全体の運転を制御するから、溶解作業の効率化が図れる。また、制御装置がベール古紙の重量から溶解槽への希釈水の注入量を制御することにより、溶解槽に、ベール古紙と希釈水がそれぞれ定量連続的に投入されるから、ベール古紙溶解液の濃度を一定化でき、次工程以降の作業効率の向上が図れる。
【図面の簡単な説明】
【図１】  本発明の一実施形態例を示すベール古紙投入装置の概略図である。
【符号の説明】
１…ベール古紙投入装置、２…ベール古紙、３…搬送コンベア、４…スケールコンベア、５…番線切断除去装置、６…投入コンベア、７…溶解槽、８…制御装置
【図１】
0004127918.tif 000002